(57)【要約】【課題】  施工精度の向上を図るとともに、施工状況の検査が簡単にできる外壁タイルの施工方法を提供することである。【解決手段】  外壁タイルの施工方法は、外部足場用の壁繋ぎ材が接合された箇所に外壁タイルを接着する方法であり、前記壁繋ぎ材を躯体４内のアンカーボルト５から取り外した後、該アンカーボルト５に固定部材７を取り付け、該固定部材７に磁性を有する外壁タイル１を接着することである。【選択図】図１
2005171595.tif 000002
【特許請求の範囲】
【請求項１】
外部足場用の壁繋ぎ材が接合された箇所に外壁タイルを施工する方法であり、前記壁繋ぎ材を躯体内のアンカーボルトから取り外した後、該アンカーボルトに固定部材を取り付け、該固定部材に磁性を有する外壁タイルを接着することを特徴とする外壁タイルの施工方法。
【請求項２】
磁性を有する外壁タイルは、裏面に磁石を備えた外壁タイルまたは磁性材料からなる外壁タイルであることを特徴とする請求項１に記載の外壁タイルの施工方法。
【請求項３】
外部足場用の壁繋ぎ材が接合された箇所に外壁タイルを施工する方法であり、前記壁繋ぎ材を躯体内のアンカーボルトから取り外した後、該アンカーボルトに固定部材を取り付け、該固定部材に、外壁タイルの裏面の掛止具を掛け止めしてタイルを接着することを特徴とする外壁タイルの施工方法。
【発明の詳細な説明】
【技術分野】
【０００１】
本発明は外壁タイルの施工方法に関するものである。
【背景技術】
【０００２】
外部足場を壁繋ぎ材で躯体に固定する場合は、図５に示すように、躯体２８内に埋設したアンカーボルト２９に壁繋ぎ材３０を接合して行っている。そこで、この壁繋ぎ材３０が接合された箇所への外壁タイル３１の施工は、外部足場３２の解体とともに行われていた。これは外部足場３２の解体にともなって、アンカーボルト２９から壁繋ぎ材３０を取り外した後、この壁繋ぎ材３０が接合されていた壁面にモルタル３３を塗り込んで外壁タイル３１を貼り付けていた。また、この他のタイルの施工方法としては、特開２００２−１０６１４８号公報の発明がある。
【特許文献１】特開２００２−１０６１４８号公報
【発明の開示】
【発明が解決しようとする課題】
【０００３】
しかし、上記のような外壁タイルの施工方法は、外部足場の解体と同時に行われるため、作業時間が制限されて、施工品質が作業員の技能に左右されるという問題があった。また外壁タイルの貼り付け後、かつモルタルの硬化前に外部足場が解体されるため、施工状況の検査、すなわち打診検査や引張試験などができないという問題があった。
【０００４】
本発明は上記のような問題に鑑みてなされたものであり、その目的は、施工精度の向上を図るとともに、施工状況の検査が簡単にできる外壁タイルの施工方法を提供することである。
【課題を解決するための手段】
【０００５】
本発明の外壁タイルの施工方法は、外部足場用の壁繋ぎ材が接合された箇所に外壁タイルを施工する方法であり、前記壁繋ぎ材を躯体内のアンカーボルトから取り外した後、該アンカーボルトに固定部材を取り付け、該固定部材に磁性を有する外壁タイルを接着することを特徴とする。また磁性を有する外壁タイルは、裏面に磁石を備えた外壁タイルまたは磁性材料からなる外壁タイルであることを含むものである。
また外壁タイルの施工方法は、外部足場用の壁繋ぎ材が接合された箇所に外壁タイルを施工する方法であり、前記壁繋ぎ材を躯体内のアンカーボルトから取り外した後、該アンカーボルトに固定部材を取り付け、該固定部材に、外壁タイルの裏面の掛止具を掛け止めして外壁タイルを接着することを特徴とする。
【発明の効果】
【０００６】
外壁タイルの磁力による接合および機械的接合により、タイルの施工と同時に、施工状況の検査が簡単にできる。また外壁タイルの施工精度の向上を図ることができるとともに、剥落を防ぐことができる。
【発明を実施するための最良の形態】
【０００７】
以下、外壁タイルの施工方法について説明するが、各実施の形態において同じ構成は同じ符号を付して説明し、異なった構成は異なった符号を付して説明する。
【０００８】
図１および図２は、第１の実施の形態の外壁タイルの施工方法を示したものである。この外壁タイルの施工方法は、はじめに外壁タイル１の裏側に永久磁石２をエポキシ系接着剤３で貼り付ける。この永久磁石２は外壁タイル１の裏面内に収まる大きさの一枚板で、かつ所定の厚さを備えたものである。
【０００９】
次に、躯体４に埋設されたアンカーボルト５から壁繋ぎ材（図示せず）を取り外し、該壁繋ぎ材が取り外されたアンカーボルトの雌ネジ部６に固定部材７をねじ込む。
【００１０】
この固定部材７は、図２に示すように、丸皿ボルト８と、この丸皿ボルトの頭部９に取り付けられた取付金物１０とから構成されている。この取付金物１０は箱体であり、箱内にボルトの頭部９を収納し、該頭部９の一部が露出する大きさの孔１１が上蓋１２に開口されている。また丸皿ボルト８が差し込まれた底板１３の差込孔１４がボルト径よりも大きなルーズ孔で、かつ頭部下側がテーパー面１５となっているため、取付金物１０が自在に回転でき、かつ任意の方向に傾斜できるようになっている。
【００１１】
次に、固定部材７の上蓋の孔１１から差し込んだネジ回しなどで丸皿ボルト８を回転させて、固定部材７の出入りを調整する。すなわち、外壁タイル１を貼り付けたときに、その表面が他の外壁タイルの表面と面一になるような位置に固定部材７を設置する。
【００１２】
次に、固定部材７の周囲と外壁タイル１の裏面、すなわち永久磁石２の周りとにモルタル１６を塗り込み、このモルタル１６を塗り込んだ外壁タイル１を永久磁石２で固定部材７に取り付ける。そして、この外壁タイル１の取り付けを確認しつつ、縦横の位置および傾きを調整して、タイル目地を仕上げる。よって、外壁タイル１は永久磁石２によって機械的な接着が確認できるとともに、モルタル１６の硬化によって外壁タイル１と躯体４との接着効果を得ることができる。
【００１３】
なお、上記の永久磁石２に代わって、外壁タイル１に磁性材料を含ませたものにすることもできる。
【００１４】
図３および図４は、第２の実施の形態の外壁タイルの施工方法を示したものである。この外壁タイルの施工方法は、はじめに外壁タイル１７の裏側に掛止具１８をエポキシ系接着剤３で貼り付ける。この掛止具１８は、図４に示すように、先端部にフック１９を備えた二対の掛止片２０が設けられてなり、該掛止片２０が内側に傾斜した弾性片となっている。
【００１５】
次に、躯体４に埋設されたアンカーボルト５から壁繋ぎ材（図示せず）を取り外し、該壁繋ぎ材を取り外したアンカーボルトの雌ネジ部６に固定部材２１をねじ込む。
【００１６】
この固定部材２１は、図４に示すように、座金２２を備えたボルト２３と、この座金２２に設置された掛止プレート２４とから構成されている。この掛止プレート２４は周縁に傾斜面２５を備えた平面方形のものであり、自在に回転でき、かつ任意の方向に傾斜できるように、ボルト径よりも大きな差込孔２６にボルト２３が差し込まれてナット２７で軽く固定されている。
【００１７】
次に、上記と同様に、ボルト２３を回転させて固定部材２１の出入りを調整する。すなわち、外壁タイル１７を貼り付けたときに、その表面が他の外壁タイルの表面と面一になるような位置に固定部材２１を設置する。
【００１８】
次に、上記と同様に、固定部材２１の周囲と外壁タイル１７の裏面、すなわち掛止具１８の周りとにモルタル１６を塗り込み、このモルタル１６を塗り込んだ外壁タイル１７を掛止具１８で固定部材２１に取り付ける。これは、外壁タイル１７を固定部材２１側に押し付けると、掛止片２０の先端が掛止プレートの傾斜面２５を滑って外側に開いて、フック１９が掛止プレート２４に掛け止めされる。
【００１９】
そして、この外壁タイル１７を取り付けたことを確認しつつ、縦横の位置および傾きを調整してタイル目地を仕上げる。よって、外壁タイル１７は掛止具１８により機械的な接着が確認できるとともに、モルタル１６の硬化によって外壁タイル１７と躯体４との接着効果を得ることができる。
【図面の簡単な説明】
【００２０】
【図１】第１の実施の形態の外壁タイルの施工方法を示す断面図である。
【図２】磁石を備えた外壁タイルを固定部材に固定する断面図である。
【図３】第２の実施の形態の外壁タイルの施工方法を示す断面図である。
【図４】掛止片を備えた外壁タイルを固定部材に固定する断面図である。
【図５】（１）および（２）は従来の外壁タイルの施工方法を示す断面図である。
【符号の説明】
【００２１】
１、１７、３１  外壁タイル
２  永久磁石
３  エポキシ系接着剤
４、２８  躯体
５、２９  アンカーボルト
６  雌ネジ部
７、２１  固定部材
８  丸皿ボルト
９  ボルトの頭部
１０  取付金物
１１  孔
１２  上蓋
１３  底板
１４  差込孔
１５  テーパー面
１６、３３  モルタル
１８  掛止具
１９  フック
２０  掛止片
２２  座金
２３  ボルト
２４  掛止プレート
２５  傾斜面
２６  差込孔
２７  ナット
３０  壁繋ぎ材
３２  外部足場
【図１】
2005171595.tif 000003
【図２】
2005171595.tif 000004
【図３】
2005171595.tif 000005
【図４】
2005171595.tif 000006
【図５】
2005171595.tif 000007